(57)【要約】【課題】ＡＶ機器の操作が苦手なユーザから得意なユーザまで、様々なユーザに適した視認性および操作性を有するＡＶ機器を提供する。【解決手段】本発明の装置は、複数の制御機器からの指示に基づいて動作することが可能な装置であって、複数の制御機器は第１制御機器と第２制御機器とを含み、第１制御機器は装置に所定の動作を実行させるために第１制御信号を装置へ出力し、第２制御機器は装置に所定の動作を実行させるために第２制御信号を装置へ出力し、装置は、第１制御信号および第２制御信号を受信するための受信部と、受信部が第１制御信号を受信した場合と第２制御信号を受信した場合とで所定の動作を実行するときに表示する所定の画像のサイズを変更する画像制御部とを備える。【選択図】図１
2006157885.tif 000002
【特許請求の範囲】
【請求項１】
複数の制御機器からの指示に基づいて動作することが可能な装置であって、
前記複数の制御機器は、第１制御機器と第２制御機器とを含み、
前記第１制御機器は、前記装置に所定の動作を実行させるために第１制御信号を前記装置へ出力し、
前記第２制御機器は、前記装置に前記所定の動作を実行させるために第２制御信号を前記装置へ出力し、
前記装置は、
前記第１制御信号および前記第２制御信号を受信するための受信部と、
前記受信部が前記第１制御信号を受信した場合と、前記受信部が前記第２制御信号を受信した場合とで、前記所定の動作を実行するときに表示する所定の画像のサイズを変更する画像制御部と
を備える装置。
【請求項２】
前記第１制御機器は第１ボタンを備え、前記第１ボタンが押されたときに前記第１制御信号を出力し、
前記第２制御機器は第２ボタンを備え、前記第２ボタンが押されたときに前記第２制御信号を出力し、
前記第１ボタンのサイズは前記第２ボタンのサイズよりも大きく、
前記画像制御部は、前記受信部が前記第２制御信号を受信したときの前記所定の画像のサイズよりも、前記受信部が前記第１制御信号を受信したときの前記所定の画像のサイズを大きく設定する、請求項１に記載の装置。
【請求項３】
前記第１制御機器は第１ボタンを備え、前記第１ボタンが押されたときに前記第１制御信号を出力し、
前記第２制御機器は第２ボタンを備え、前記第２ボタンが押されたときに前記第２制御信号を出力し、
前記第１制御機器には、前記所定の動作の説明が前記第１ボタンに関連付けられて記されており、
前記第２制御機器には、前記所定の動作の説明が前記第２ボタンに関連付けられて記されており、
前記第１制御機器に記された前記所定の動作の説明のサイズは、前記第２制御機器に記された前記所定の動作の説明のサイズよりも大きく、
前記画像制御部は、前記受信部が前記第２制御信号を受信したときの前記所定の画像のサイズよりも、前記受信部が前記第１制御信号を受信したときの前記所定の画像のサイズを大きく設定する、請求項１に記載の装置。
【請求項４】
前記第１制御機器は第１ボタンを備え、前記第１ボタンが押されたときに前記第１制御信号を出力し、
前記第２制御機器は第２ボタンを備え、前記第２ボタンが押されたときに前記第２制御信号を出力し、
前記第１制御機器が備えるボタンの総数は、前記第２制御機器が備えるボタンの総数よりも少なく、
前記画像制御部は、前記受信部が前記第２制御信号を受信したときの前記所定の画像のサイズよりも、前記受信部が前記第１制御信号を受信したときの前記所定の画像のサイズを大きく設定する、請求項１に記載の装置。
【請求項５】
前記画像制御部は、前記所定の画像のサイズの変更前に実行中の動作状態を保持したまま、前記所定の画像のサイズを変更する、請求項１に記載の装置。
【請求項６】
前記第１制御機器および前記第２制御機器はリモコンであり、
前記装置は、表示装置、再生装置、記録装置、記録再生装置および画像編集装置のうちの１つである、請求項１に記載の装置。
【請求項７】
前記画像制御部は、前記受信部が前記第１制御信号を受信した場合には、ユーザとサポートセンターとを接続するためのインターフェースを表示する、請求項１に記載の装置。
【請求項８】
前記画像制御部は、前記受信部が前記第２制御信号を受信した場合には、前記インターフェースを表示しない、請求項７に記載の装置。
【請求項９】
制御機器からの指示に基づいて動作する装置であって、
前記制御機器は第１ボタンを備え、前記第１ボタンが押されたときに、前記装置に所定の動作を実行させるための第１制御信号を出力し、
前記制御機器は第２ボタンを備え、前記第２ボタンが押されたときに、前記装置に前記所定の動作を実行させるための第２制御信号を出力し、
前記装置は、
前記第１制御信号および前記第２制御信号を受信する受信部と、
前記受信部が前記第１制御信号を受信した場合と、前記受信部が前記第２制御信号を受信した場合とで、前記所定の動作を実行するときに表示する所定の画像のサイズを変更する画像制御部と
を備える装置。
【請求項１０】
前記第１ボタンのサイズは前記第２ボタンのサイズよりも大きく、
前記画像制御部は、前記受信部が前記第２制御信号を受信したときの前記所定の画像のサイズよりも、前記受信部が前記第１制御信号を受信したときの前記所定の画像のサイズを大きく設定する、請求項９に記載の装置。
【請求項１１】
前記制御機器には、前記第１ボタンおよび前記第２ボタンのそれぞれに関連付けられて前記所定の動作の説明が記されており、
前記第１ボタンに関連付けられて記された前記所定の動作の説明のサイズは、前記第２ボタンに関連付けられて記された前記所定の動作の説明のサイズよりも大きく、
前記画像制御部は、前記受信部が前記第２制御信号を受信したときの前記所定の画像のサイズよりも、前記受信部が前記第１制御信号を受信したときの前記所定の画像のサイズを大きく設定する、請求項９に記載の装置。
【請求項１２】
複数の制御機器と、
前記複数の制御機器からの指示に基づいて動作する装置と
を備えたリモートコントロールシステムであって、
前記複数の制御機器は、第１制御機器と第２制御機器とを含み、
前記第１制御機器は、前記装置に所定の動作を実行させるために第１制御信号を前記装置へ出力し、
前記第２制御機器は、前記装置に前記所定の動作を実行させるために第２制御信号を前記装置へ出力し、
前記装置は、
前記第１制御信号および前記第２制御信号を受信するための受信部と、
前記受信部が前記第１制御信号を受信した場合と、前記受信部が前記第２制御信号を受信した場合とで、前記所定の動作を実行するときに表示する所定の画像のサイズを変更する画像制御部と
を備える、リモートコントロールシステム。
【請求項１３】
制御機器と、
前記制御機器からの指示に基づいて動作する装置と
を備えたリモートコントロールシステムであって、
前記制御機器は第１ボタンを備え、前記第１ボタンが押されたときに、前記装置に所定の動作を実行させるための第１制御信号を出力し、
前記制御機器は第２ボタンを備え、前記第２ボタンが押されたときに、前記装置に前記所定の動作を実行させるための第２制御信号を出力し、
前記装置は、
前記第１制御信号および前記第２制御信号を受信する受信部と、
前記受信部が前記第１制御信号を受信した場合と、前記受信部が前記第２制御信号を受信した場合とで、前記所定の動作を実行するときに表示する所定の画像のサイズを変更する画像制御部と
を備える、リモートコントロールシステム。
【発明の詳細な説明】
【技術分野】
【０００１】
本発明は、リモートコントロールシステムおよびリモートコントロールシステムで用いられる装置に関する。
【背景技術】
【０００２】
ＤＶＤ（Ｄｉｇｉｔａｌ  Ｖｅｒｓａｔｉｌｅ  Ｄｉｓｃ）レコーダおよびデジタル放送対応テレビなどのＡＶ（Ａｕｄｉｏ−Ｖｉｓｕａｌ）機器は、一般に、リモートコントローラ（以下、「リモコン」と称する）やディスプレイに表示されたインターフェースを用いて操作される。
【０００３】
近年、それらのＡＶ機器は高機能化しており、リモコンが備えるボタンの数は増加し、ボタン自身は小型化されると共に個々のボタンに対応付けられた機能を示す表示も小さくなっている。また、画面に表示されるインターフェースも複雑化、詳細化している。例えば、デジタル放送の開始により、電子番組表や双方向サービスを利用するためのボタンが増加している。これに伴い、３０個以上のボタンを備えるリモコンも増えてきている。このような操作の複雑化に伴い、複数のリモコンを使用してＡＶ機器を制御するシステムも提案されている（例えば特許文献１参照）。
【特許文献１】特開２００２−３５４５６１号公報
【発明の開示】
【発明が解決しようとする課題】
【０００４】
上述したようなＡＶ機器には、機器の操作が苦手なユーザから得意なユーザまで、様々なユーザに適した操作性および視認性を有していることが要求されている。つまり、ＡＶ機器は、高齢者や従来からある簡単な機能しか求めないユーザのために視認性が高く且つ操作が簡単であることが求められ、また、同時に、高機能を十分使いこなしたいユーザの欲求も満たすことも求められている。
【０００５】
複雑な機能を有するリモコンではなく、初心者や高齢者などが使用し易いように大きなボタンを備え、ボタンの数も少ないリモコンを使用するためには、そのようなリモコンをＡＶ機器とは別に購入する必要があった。また、購入したリモコンを使用できるようにするためには、ユーザ自身がそのリモコンおよびＡＶ機器の状態を設定する必要があった。また、画面に表示されるインターフェースを使用し易い形式にするためには、ユーザ自身がＡＶ機器の状態の設定を行う必要があった。
【０００６】
また、従来のＡＶ機器では、使用するリモコンをインターフェースの操作途中で変更しても、リモコンの変更に伴ってインターフェースの表示状態（例えば表示されたインターフェースのサイズ）は自動的に変更されず、一旦そのインターフェースの表示を終了させてから、ユーザ自身の操作によりインターフェースの表示状態を再設定する必要があり、そのための複雑な操作と時間が要求されていた。
【０００７】
本発明は、上記問題に鑑みてなされたものであり、その目的は、ユーザ自身によりＡＶ機器やリモコンの設定を行なう必要なく、複数のユーザのそれぞれが個々に適したリモコンおよびインターフェース等の操作を行えるリモートコントロールシステムおよびリモートコントロールシステムで用いられる装置を提供することにある。
【課題を解決するための手段】
【０００８】
本発明の装置は、複数の制御機器からの指示に基づいて動作することが可能な装置であって、前記複数の制御機器は、第１制御機器と第２制御機器とを含み、前記第１制御機器は、前記装置に所定の動作を実行させるために第１制御信号を前記装置へ出力し、前記第２制御機器は、前記装置に前記所定の動作を実行させるために第２制御信号を前記装置へ出力し、前記装置は、前記第１制御信号および前記第２制御信号を受信するための受信部と、前記受信部が前記第１制御信号を受信した場合と、前記受信部が前記第２制御信号を受信した場合とで、前記所定の動作を実行するときに表示する所定の画像のサイズを変更する画像制御部とを備えることを特徴とする。
【０００９】
ある実施形態において、前記第１制御機器は第１ボタンを備え、前記第１ボタンが押されたときに前記第１制御信号を出力し、前記第２制御機器は第２ボタンを備え、前記第２ボタンが押されたときに前記第２制御信号を出力し、前記第１ボタンのサイズは前記第２ボタンのサイズよりも大きく、前記画像制御部は、前記受信部が前記第２制御信号を受信したときの前記所定の画像のサイズよりも、前記受信部が前記第１制御信号を受信したときの前記所定の画像のサイズを大きく設定する。
【００１０】
ある実施形態において、前記第１制御機器は第１ボタンを備え、前記第１ボタンが押されたときに前記第１制御信号を出力し、前記第２制御機器は第２ボタンを備え、前記第２ボタンが押されたときに前記第２制御信号を出力し、前記第１制御機器には、前記所定の動作の説明が前記第１ボタンに関連付けられて記されており、前記第２制御機器には、前記所定の動作の説明が前記第２ボタンに関連付けられて記されており、前記第１制御機器に記された前記所定の動作の説明のサイズは、前記第２制御機器に記された前記所定の動作の説明のサイズよりも大きく、前記画像制御部は、前記受信部が前記第２制御信号を受信したときの前記所定の画像のサイズよりも、前記受信部が前記第１制御信号を受信したときの前記所定の画像のサイズを大きく設定する。
【００１１】
ある実施形態において、前記第１制御機器は第１ボタンを備え、前記第１ボタンが押されたときに前記第１制御信号を出力し、前記第２制御機器は第２ボタンを備え、前記第２ボタンが押されたときに前記第２制御信号を出力し、前記第１制御機器が備えるボタンの総数は、前記第２制御機器が備えるボタンの総数よりも少なく、前記画像制御部は、前記受信部が前記第２制御信号を受信したときの前記所定の画像のサイズよりも、前記受信部が前記第１制御信号を受信したときの前記所定の画像のサイズを大きく設定する。
【００１２】
ある実施形態において、前記画像制御部は、前記所定の画像のサイズの変更前に実行中の動作状態を保持したまま、前記所定の画像のサイズを変更する。
【００１３】
ある実施形態において、前記第１制御機器および前記第２制御機器はリモコンであり、前記装置は、表示装置、再生装置、記録装置、記録再生装置および画像編集装置のうちの１つである。
【００１４】
ある実施形態において、前記画像制御部は、前記受信部が前記第１制御信号を受信した場合には、ユーザとサポートセンターとを接続するためのインターフェースを表示する。
【００１５】
ある実施形態において、前記画像制御部は、前記受信部が前記第２制御信号を受信した場合には、前記インターフェースを表示しない。
【００１６】
本発明の装置は、制御機器からの指示に基づいて動作する装置であって、前記制御機器は第１ボタンを備え、前記第１ボタンが押されたときに、前記装置に所定の動作を実行させるための第１制御信号を出力し、前記制御機器は第２ボタンを備え、前記第２ボタンが押されたときに、前記装置に前記所定の動作を実行させるための第２制御信号を出力し、前記装置は、前記第１制御信号および前記第２制御信号を受信する受信部と、前記受信部が前記第１制御信号を受信した場合と、前記受信部が前記第２制御信号を受信した場合とで、前記所定の動作を実行するときに表示する所定の画像のサイズを変更する画像制御部とを備えることを特徴とする。
【００１７】
ある実施形態において、前記第１ボタンのサイズは前記第２ボタンのサイズよりも大きく、前記画像制御部は、前記受信部が前記第２制御信号を受信したときの前記所定の画像のサイズよりも、前記受信部が前記第１制御信号を受信したときの前記所定の画像のサイズを大きく設定する。
【００１８】
ある実施形態において、前記制御機器には、前記第１ボタンおよび前記第２ボタンのそれぞれに関連付けられて前記所定の動作の説明が記されており、前記第１ボタンに関連付けられて記された前記所定の動作の説明のサイズは、前記第２ボタンに関連付けられて記された前記所定の動作の説明のサイズよりも大きく、前記画像制御部は、前記受信部が前記第２制御信号を受信したときの前記所定の画像のサイズよりも、前記受信部が前記第１制御信号を受信したときの前記所定の画像のサイズを大きく設定する。
【００１９】
本発明のリモートコントロールシステムは、複数の制御機器と、前記複数の制御機器からの指示に基づいて動作する装置とを備えたリモートコントロールシステムであって、前記複数の制御機器は、第１制御機器と第２制御機器とを含み、前記第１制御機器は、前記装置に所定の動作を実行させるために第１制御信号を前記装置へ出力し、前記第２制御機器は、前記装置に前記所定の動作を実行させるために第２制御信号を前記装置へ出力し、前記装置は、前記第１制御信号および前記第２制御信号を受信するための受信部と、前記受信部が前記第１制御信号を受信した場合と、前記受信部が前記第２制御信号を受信した場合とで、前記所定の動作を実行するときに表示する所定の画像のサイズを変更する画像制御部とを備えることを特徴とする。
【００２０】
本発明のリモートコントロールシステムは、制御機器と、前記制御機器からの指示に基づいて動作する装置とを備えたリモートコントロールシステムであって、前記制御機器は第１ボタンを備え、前記第１ボタンが押されたときに、前記装置に所定の動作を実行させるための第１制御信号を出力し、前記制御機器は第２ボタンを備え、前記第２ボタンが押されたときに、前記装置に前記所定の動作を実行させるための第２制御信号を出力し、前記装置は、前記第１制御信号および前記第２制御信号を受信する受信部と、前記受信部が前記第１制御信号を受信した場合と、前記受信部が前記第２制御信号を受信した場合とで、前記所定の動作を実行するときに表示する所定の画像のサイズを変更する画像制御部とを備えることを特徴とする。
【発明の効果】
【００２１】
本発明の装置は、受信した制御信号が複数の制御機器（リモコン等）のうちのいずれの制御機器から出力された制御信号であるかに応じて、所定の動作（録画、再生、編集、設定等）を実行するときに表示する所定の画像（文字、記号、絵、インターフェース等）のサイズを変更する。使用する制御機器の変更に応じて装置側が自動的にそれらの画像のサイズを変更することにより、ユーザ自身による制御機器および装置の設定を行うこと無しに、ユーザのそれぞれに適したサイズの画像を表示することが出来る。
【００２２】
また、別の実施形態において、本発明の装置は、1つの制御機器が備える同じ所定の動作が対応付けられた複数のボタンのうちのいずれのボタンが押されたかに応じて、所定の動作を実行するときに表示する所定の画像のサイズを変更する。使用するボタンに応じて装置側が自動的にそれらの画像のサイズを変更することにより、ユーザ自身による制御機器および装置の設定を行うこと無しに、ユーザのそれぞれに適したサイズの画像を表示することが出来る。
【００２３】
このような本発明の装置および制御機器の機能は、製品の工場出荷時に予め設定されている。本発明によれば、ユーザは、簡単且つ直感的に、インターフェース等の画像の視認性および操作性を変更することができるので、複雑な機能を使いたいユーザと簡単な機能だけ使いたいユーザとで同一のＡＶ機器を簡単に共用することができる。
【発明を実施するための最良の形態】
【００２４】
以下、図面を参照しながら本発明の実施形態を説明する。
【００２５】
（実施形態１）
まず、図１を参照して、本実施形態のリモートコントロールシステム１００を説明する。図１は、リモートコントロールシステム１００を模式的に示す図である。リモートコントロールシステム１００は、リモコン１１および１２と、リモコン１１および１２からの指示に基づいて動作する装置２と、装置２から出力された画像信号に基づいて画像を表示する表示部３とを備える。
【００２６】
リモコン１１および１２は、装置２の動作を制御するための制御機器であり、装置２の動作を制御するための制御信号１１ａおよび１２ａを装置２へ出力する。装置２は、再生装置、記録装置、記録再生装置および画像編集装置等のうちの何れかのＡＶ機器である。装置２は、例えば、ＤＶＤ等の光ディスク媒体に記録された情報の再生および／または光ディスク媒体への情報の記録を行う。なお、装置２は、テレビ等の表示装置であってもよく、この場合は、表示部３は装置２に含まれる。
【００２７】
図２（ａ）および図２（ｂ）を参照して、リモコン１１および１２を説明する。図２（ａ）はリモコン１１を模式的に示す図であり、図２（ｂ）はリモコン１２を模式的に示す図である。
【００２８】
リモコン１１は、ボタン１１１、１１２および１１３を含む複数のボタンを備える。リモコン１２は、ボタン１２１、１２２および１２３を含む複数のボタンを備える。リモコン１１および１２が備えるボタンのそれぞれには、対応する動作の説明がボタンに関連付けられて記されている。対応する動作の説明は文字、記号、絵等で表され、例えば対応するボタン表面やその周辺に印刷されている。
【００２９】
図２（ａ）および図２（ｂ）に示す例では、ボタン１１１および１２１の表面には“設定”と印刷されており、ボタン１１２および１２２の表面には“停止”と印刷されており、ボタン１１３および１２３の表面には“再生”と印刷されている。所望の動作が記されているボタンをユーザが押すと、リモコン１１および１２は、押されたボタンに対応する動作を装置２に実行させるための制御信号を装置２へ出力する。
【００３０】
リモコン１１が備えるボタンのサイズは、リモコン１２が備えるボタンのサイズよりも大きく、また、リモコン１１に記された動作の説明（機能表示）のサイズは、リモコン１２に記された動作の説明のサイズよりも大きい。これらボタンおよび機能表記のサイズは、通常瞬時にその差を認識できる程度に異なっている。また、リモコン１１が備えるボタンの総数は、リモコン１２が備えるボタンの総数よりも少ない。これらの特徴により、リモコン１１は視認性が高く操作も容易であり、簡単な機能だけ使いたいユーザに適している。一方、リモコン１２は、視認性および操作性は劣るものの、多くのボタンを備えることで多くの複雑な操作を可能とし、複雑な機能を使いたいユーザに適している。
【００３１】
リモコン１１および１２は、一部共通の機能に相当するボタンを備えている。例えば、設定ボタン１１１および１２１は、共に表示部３に設定メニューを表示させるという同一の動作を装置２に実行させるためのボタンである。設定ボタン１１１は設定ボタン１２１に比べてその大きさ、機能表示、共に大きい。設定ボタン１１１および１２１が押されることにより、リモコン１１および１２は制御信号を出力する。設定メニューを表示させるという同一の動作を装置２に実行させるときに、リモコン１１が出力する制御信号が示す情報と、リモコン１２が出力する制御信号が示す情報とは互いに異なっている（詳細は後述する）。これらの制御信号は、例えば赤外線である。例えばユーザが設定ボタン１１１を押すと、表示部３には、設定メニューとしてアイコン３０１等が表示される。
【００３２】
装置２は、図１に示すように、リモコン１１および１２から出力された制御信号を受信する受信部２０１と、受信した制御信号に基づいて表示部３に表示する画像を示す画像信号を生成する画像制御部２１０とを備える。画像制御部２１０は、リモコンコード解析部２０２と、表示切替部２０３と、動作状態保持メモリ２０４と、表示生成部２０５とを備える。画像制御部２１０は、受信部２０１がリモコン１１から出力された制御信号を受信した場合と、リモコン１２から出力された制御信号を受信した場合とで、同じ所定の動作を実行するときに表示部３に表示する所定の画像のサイズを変更する。
【００３３】
図３（ａ）に、リモコン１１の設定ボタン１１１が押されたときに表示部３に表示される画像の一例として、グラフィカル・ユーザー・インターフェース（ＧＵＩ：Ｇｒａｐｈｉｃａｌ  Ｕｓｅｒ  Ｉｎｔｅｒｆａｃｅ）３１を示す。また、図３（ｂ）に、リモコン１２の設定ボタン１２１が押されたときに表示部３に表示される画像の一例として、ＧＵＩ３２を示す。ＧＵＩ３１はアイコン３０１、３０２、３０３および３１１を含んでいる。ＧＵＩ３２はアイコン３２１、３２２、３２３、３２４および３２５を含んでいる。
【００３４】
図３（ａ）を参照して、ＧＵＩ３１では、簡単な機能だけ使いたいユーザに適したリモコン１１の特徴（ボタンおよび機能表示のサイズが大きく、ボタンの総数が少ない）に対応して、アイコン３０１〜３０３および３１１のサイズおよび表示されるフォントサイズも大きく、また、表示されるアイコン数も少なくなっている。このような特徴により、ＧＵＩ３１は、視認性が高く操作も容易であり、簡単な機能だけ使いたいユーザに適している。アイコン３０１〜３０３および３１１のサイズは、アイコン３２１〜３２５のサイズよりも大きく、ＧＵＩ３１のフォントサイズは、ＧＵＩ３２のフォントサイズよりも大きい。
【００３５】
図３（ｂ）を参照して、ＧＵＩ３２では、複雑な機能を使いたいユーザに適したリモコン１２の特徴（ボタンおよび機能表示のサイズが小さいが、その分、ボタンの総数が多い）に対応して、アイコン３２１〜３２５のサイズおよび表示されるフォントサイズは小さいが、表示されるアイコン数は多い。このような特徴により、ＧＵＩ３２は、視認性および操作性は劣るものの、多くのアイコンを含んでいることで多くの複雑な操作を可能とし、複雑な機能を使いたいユーザに適している。
【００３６】
受信部２０１は、受信した制御信号をリモコンコードに変換し、リモコンコードをリモコンコード解析部２０２に出力する。このリモコンコードは、例えば２桁の数字で表され、リモコン１１および１２のボタン毎に独立したリモコンコードが割り当てられている。
【００３７】
リモコンコード解析部２０２は、予め記憶されたリモコンコードテーブルを参照して、受け取ったリモコンコードを解析する。リモコンコード解析部２０２が記憶しているリモコンコードテーブル２０６を図４に示す。リモコンコードテーブル２０６では、各ボタンに割り当てられたリモコンコードと、画面表示モード指定データおよび操作指示データとが対応付けられている。画面表示モード指定データおよび操作指示データは、例えば、０および１の配列で表されるデジタルデータである。画面表示モード指定データは、表示部３に表示する画像の状態（文字や記号および絵のサイズ、アイコンの数等）を指定するデータであり、操作指示データは、装置２に実行させる動作を示すデータである。
【００３８】
例えば、設定ボタン１１１にはリモコンコード“００”が対応付けられており、リモコンコード解析部２０２は、リモコンコード“００”を、画面表示モード指定データ“００”と操作指示データ“０００００１００”に変換する。また、設定ボタン１２１にはリモコンコード“５０”が対応付けられており、リモコンコード解析部２０２は、リモコンコード“５０”を、画面表示モード指定データ“０１”と操作指示データ“０００００１００”に変換する。リモコンコード解析部２０２は、画面表示モード指定データおよび操作指示データを表示切替部２０３に出力する。
【００３９】
表示切替部２０３は、各画面表示モード指定データに対応する複数の画面表示プログラムを予め記憶している。画面表示プログラムには、表示部３に表示する画像の状態（文字や記号および絵のサイズ、アイコンの数等）が設定されている。
【００４０】
表示切替部２０３は、画面表示モード指定データおよび操作指示データを受け取ると、現在実行している画面表示プログラムが、受け取った画面表示モード指定データに対応しているか否かを判定する。対応している場合は画面表示プログラムを変更しない。対応していない場合は、現在実行している画面表示プログラムを、受け取った画面表示モード指定データに対応している画面表示プログラムに切り替える。この場合は、表示切替部２０３は、まず、装置２の現在の動作状態（すなわち、最新の制御信号を受信する直前の動作状態）を示すデータを動作状態保持メモリ２０４に保存する。動作状態保持メモリ２０４は、例えばＤＲＡＭまたはフラッシュメモリである。上記現在の動作状態を示すデータは、例えば、設定中、再生中、録画中、早送り速度、巻き戻し速度、テレビチャネル、画面表示モード等、装置２の動作に関係のある様々な情報を含んでいる。なお、現在の画面表示モードに基づかずに次の表示データを生成する場合には、保存されるデータに画面表示モードは含まれていなくてもよい。
【００４１】
次に、表示切替部２０３は、受け取った画面表示モード指定データに対応している画面表示プログラムを読み出し、現在実行している画面表示プログラムを、新たに読み出した画面表示プログラムに切り替える。次に、表示切替部２０３は、動作状態保持メモリ２０４に保存しておいた動作状態を示すデータを読み出し、その動作状態と操作指示データとに応じた画像を表示部３に表示するための画像データを生成し、表示生成部２０５に出力する。画面表示プログラムを切り替えた場合は、新たに実行した画面表示プログラムに応じて、表示部３に表示する画像の状態（文字や記号および絵のサイズ、アイコンの数等）が切り替わる。表示生成部２０５は、受け取った画像データを表示部３に適した画像信号に変換して表示部３へ出力することにより、表示部３に画像が表示される。
【００４２】
次に、図５を参照して、リモートコントロールシステム１００の動作をより詳細に説明する。図５は、リモートコントロールシステム１００の動作を示すフローチャートである。ここでは、ユーザがリモコン１１を使用して図３（ａ）に示すＧＵＩ３１が表示部３に表示されているときに、ユーザが交代する等の理由により使用されるリモコンがリモコン１２に変更され、設定ボタン１２１が押されたときの動作を説明する。
【００４３】
ＳＴＥＰ２００１で、受信部２０１は、設定ボタン１２１が押されたことによりリモコン１２から出力された制御信号を受信する。受信部２０１は、受信した制御信号をリモコンコード“５０”に変換し、リモコンコード“５０”をリモコンコード解析部２０２に出力する。
【００４４】
ＳＴＥＰ２００２で、リモコンコード解析部２０２は、リモコンコードテーブル２０６（図４）を参照して、リモコンコード“５０”を画面表示モード指定データ“０１”と操作指示データ“０００００１００”に変換し、両方のデータを表示切替部２０３に出力する。
【００４５】
ＳＴＥＰ２００３で、表示切替部２０３は、現在実行している画面表示プログラムが、受け取った画面表示モード指定データ“０１”に対応しているか否かを判定する。対応している場合は画面表示プログラムを変更しなくてよいので、動作手順はＳＴＥＰＳ２００７へ進む。対応していない場合は画面表示プログラムを変更しなければならないので、動作手順はＳＴＥＰＳ２００４へ進む。この例では、現在実行している画面表示プログラムは画面表示モード指定データ“００”に対応するプログラムであり、画面表示プログラムを変更しなければならないので、動作手順はＳＴＥＰＳ２００４へ進む。
【００４６】
ＳＴＥＰ２００４で、装置２の現在の動作状態（この例では設定メニュー表示状態）を示すデータを退避のために動作状態保持メモリ２０４に保存する。
【００４７】
ＳＴＥＰ２００５で、表示切替部２０３は、画面表示モード指定データ“０１”に対応している画面表示プログラムを読み出し、現在実行している画面表示プログラムを、新たに読み出した画面表示プログラムに切り替えて実行する。
【００４８】
ＳＴＥＰ２００６で、表示切替部２０３は、動作状態保持メモリ２０４に保存しておいた動作状態を示すデータを読み出し、その動作状態（この例では設定メニュー表示状態）を保持する。
【００４９】
ＳＴＥＰ２００７で、表示切替部２０３は、新たに実行した画面表示プログラムを用いて、読み出した動作状態を示すデータと操作指示データ“０００００１００”とに応じた画像を表示部３に表示するための画像データを生成し、表示生成部２０５に出力する。この例では“設定メニュー表示状態”である動作状態は保持されたまま、表示部３に表示する画像の状態（文字や記号および絵のサイズ、アイコンの数等）が切り替わる。
【００５０】
ＳＴＥＰ２００８で、表示生成部２０５は、画像データを表示部３に適した画像信号に変換して表示部３へ出力することにより、表示部３に画像が表示される。この例では、表示部３に表示される画像がＧＵＩ３１（図３（ａ））からＧＵＩ３２（図３（ｂ））へ切り替えられる。
【００５１】
以上説明したように、リモコン１１が操作された場合には、リモコン１１と連携して、ＧＵＩ３１のような視認性が高く操作も容易な表示を行う。また、リモコン１２が操作された場合には、ＧＵＩ３２のような、視認性は劣るものの、より多くの機能の選択が可能な表示を行なう。このように、使用するリモコンの変更に応じて装置２側が自動的に表示画像のサイズ等を変更することにより、ユーザ自身によるリモコン１１および１２および装置２の設定を行うこと無しに、ユーザのそれぞれに適したＧＵＩ等の画像を表示することが出来る。
【００５２】
なお、初心者や操作が苦手なユーザに適したリモコン１１の操作に連動して表示されるインターフェースは、図３（ａ）に示すアイコン３１１のようなＨＥＬＰ機能を利用するためのアイコンを含んでいてもよい。ＨＥＬＰアイコン３１１は、装置の設定画面や番組録画予約設定画面等で表示される。これにより、初心者等にさらに適したインターフェースを実現することができる。なお、このようなＨＥＬＰアイコン３１１は、操作が得意なユーザには不要であるので、ＧＵＩ３２の表示時にはＨＥＬＰアイコン３１１は表示されていなくてもよい。
【００５３】
また、ＨＥＬＰアイコン３１１は、ユーザとサポートセンターとを接続するためのインターフェースであってもよい。例えば、装置２が電話回線用モデム（不図示）を備え、ユーザがＨＥＬＰアイコン３１１を選択した場合には、装置２がサポートセンターとの電話通信を開始し、サポートセンターのオペレータのアドバイスに従いながらユーザが装置２の操作を行ってもよい。
【００５４】
また、使用するリモコンを切り替えたときに、切り替え前の動作状態を動作状態保持メモリ２０４（図１）に保持しておき、元のリモコンの使用を再開したときに、保持しておいた切り替え前の動作を再開してもよい。これにより装置２の共用の利便性を高めることができる。例えば、あるユーザによるリモコン１２を用いた編集動作を中断して、別のユーザがリモコン１１を用いて再生動作を行った場合において、再び最初のユーザがリモコン１２を用いた編集動作を再開したときには、中断直前の編集状態から動作を再開することができる。
【００５５】
また、図２（ａ）および図２（ｂ）示した例では、リモコン１１および１２の間において、全てのボタンのサイズが互いに異なっているが、一部のボタンのみの大きさが互いに異なっていても上記と同様の効果が得られる。
【００５６】
また、リモコン１１および１２の間において、ボタンの大きさがほぼ同一であってもボタンの数が互いに異なっていれば、上記と同様の効果が得られる。また、リモコン１１および１２の間において、リモコン自体の大きさ、デザイン等が互いに異なっていてもよい。
【００５７】
また、同じ動作が対応付けられた複数のボタンを１つのリモコンが備え、複数のボタンのうちの視認性の高いボタンを押したときには選択可能な機能が少ないＧＵＩが表示され、視認性の低いボタンを押したときには選択可能な機能が多いＧＵＩが表示されてもよい。これにより、初心者等にとって、機能の選択が容易になるし、さらに、非常に高度な機能などは隠蔽することができる。
【００５８】
また、本実施形態では、リモコンの数は２つであったが、リモコンの数は３つ以上であっても上記と同様の効果が得られる。
【００５９】
以上のように、本実施形態では、使用するリモコンの変更に伴い、装置２の動作状態を保持したまま、インターフェース等の画像の視認性および操作性を変更する。使用するリモコンを変更するだけで画像の視認性および操作性を変更することができるので、複雑な機能を使いたいユーザと簡単な機能だけ使いたいユーザとで同一の装置２を簡単に共用することができる。
【００６０】
（実施形態２）
本実施形態では、リモートコントロールシステム１００（図１）が、リモコン１１および１２の代わりに図６に示すリモコン１３を備える。すなわち使用されるリモコンは１つである。図６は、リモコン１３を模式的に示す図である。
【００６１】
リモコン１３は、ボタン１３１〜１３６を含む複数のボタンを備える。ボタンのそれぞれには、対応する動作の説明がボタンに関連付けられて記されている。対応する動作の説明は文字、記号、絵等で表され、例えば対応するボタン表面やその周辺に印刷されている。ボタン１３４〜１３６のサイズは、ボタン１３１〜１３３のサイズよりも大きく、また、ボタン１３４〜１３６に記された動作の説明（機能表示）のサイズは、ボタン１３１〜１３３に記された動作の説明のサイズよりも大きい。これらボタンおよび機能表記のサイズは、通常瞬時にその差を認識できる程度に異なっている。
【００６２】
図６に示す例において、ボタン１３１および１３４には同一の動作“再生”が対応付けられており、ボタン１３２および１３５には同一の動作“停止”が対応付けられており、ボタン１３３および１３６には同一の動作“設定”が対応付けられている。
【００６３】
ここでは、ボタン１３３および１３６をより詳しく説明する。ボタン１３３および１３６は、共に表示部３に設定メニューを表示させるためのボタンである。設定ボタン１３６は設定ボタン１３３に比べてその大きさ、機能表示、共に大きい。設定ボタン１３３および１３６が押されることにより、リモコン１３は、表示部３に設定メニューを表示させるための制御信号を出力する。設定ボタン１３３が押されたときにリモコン１３が出力する制御信号が示す情報と、設定ボタン１３６が押されたときにリモコン１３が出力する制御信号が示す情報とは互いに異なっている。
【００６４】
画像制御部２１０は、設定ボタン１３３が押されたときにリモコン１３が出力する制御信号を受信した場合と、設定ボタン１３６が押されたときにリモコン１３が出力する制御信号を受信した場合とで、設定動作を実行するときに表示部３に表示する画像のサイズを変更する。ボタン１３６が押された場合は、ボタン１３６の特徴（ボタンおよび機能表示のサイズが大きい）に対応して、ＧＵＩ３１（アイコンのサイズおよび表示されるフォントサイズが大きく、表示されるアイコン数が少ない）が表示される。ボタン１３３が押された場合は、ボタン１３３の特徴（ボタンおよび機能表示のサイズが小さい）に対応して、ＧＵＩ３２（アイコンのサイズおよび表示されるフォントサイズが小さく、表示されるアイコン数が多い）が表示される。
【００６５】
これらの特徴により、ボタン１３４〜１３６は視認性が高く操作も容易であり、簡単な機能だけ使いたいユーザに適している。一方、ボタン１３１〜１３３は視認性および操作性は劣るものの、多くの複雑な操作を可能とし、複雑な機能を使いたいユーザに適している。
【００６６】
本実施形態での装置２の動作は、実施形態１の説明で示した装置２の動作と基本的に同一であるので、詳細な説明は省略する。実施形態１と異なる点として、本実施形態では、リモコンコード解析部２０２は、リモコンコードテーブル２０６（図４）の代わりに図７に示すリモコンコードテーブル２０７を用いて、受信部２０１が出力したリモコンコードを解析する。リモコンコードテーブル２０７では、リモコン１３の各ボタンに割り当てられたリモコンコードと、画面表示モード指定データおよび操作指示データとが対応付けられている。
【００６７】
例えば、設定ボタン１３６にはリモコンコード“０２”が対応付けられており、リモコンコード解析部２０２は、リモコンコード“０２”を、画面表示モード指定データ“００”と操作指示データ“０００００１００”に変換する。また、設定ボタン１３３にはリモコンコード“０５”が対応付けられており、リモコンコード解析部２０２は、リモコンコード“０５”を、画面表示モード指定データ“０１”と操作指示データ“０００００１００”に変換する。リモコンコード解析部２０２は、画面表示モード指定データおよび操作指示データを表示切替部２０３に出力する。実施形態１と同様に、表示切替部２０３は、画面表示モード指定データおよび操作指示データに基づいて画像データを生成し、それにより、表示部３はＧＵＩ３１またはＧＵＩ３２を表示する。
【００６８】
なお、同一の動作が対応付けられたボタンのうちの一方または両方が蓋などにより隠されていてもよい。例えば、ボタン１３１〜１３３が蓋により隠されていることで、ボタン１３４〜１３６の視認性をより高めることができる。ボタン１３１〜１３３が必要なときは、蓋を開くことによりボタン１３１〜１３３ボタンを露出させることができる。
【００６９】
また、本実施形態では、同一の動作が対応付けられたボタンの数は２つであったが、３つ以上であっても同様の効果が得られる。
【００７０】
本実施形態では、使用するボタンの変更に伴い、装置２の動作状態を保持したまま、インターフェース等の画像の視認性および操作性を変更する。使用するボタンを変更するだけで画像の視認性および操作性を変更することができるので、複雑な機能を使いたいユーザと簡単な機能だけ使いたいユーザとで同一の装置２を簡単に共用することができる。
【００７１】
（実施形態３）
実施形態１および２で説明した装置２の動作の少なくとも一部は、コンピュータによって実行可能なプログラムによって実現されてもよい。図８を参照して、そのようなプログラムを用いて動作する装置を説明する。図８は、本実施形態の装置２ａを模式的に示す図である。装置２ａが実行する動作は装置２と実質的に同じである。
【００７２】
装置２ａは、例えばハードディスクドライブ８０５ｂを備えたＤＶＤレコーダである。装置２ａにはＤＶＤ８０５ａが搭載される。
【００７３】
装置２ａは、受信部２０１と、画像制御部２１０ａとを備える。画像制御部２１０ａはプログラムを用いて、画像制御部２１０（図１）が実行する動作と実質的に同一の動作を実行する。画像制御部２１０ａは、グラフィック制御部８０７と、メモリ８０８と、ＤＡコンバータ８０９と、ＥＥＰＲＯＭ８１０と、ＣＰＵ（Ｃｅｎｔｒａｌ  Ｐｒｏｃｅｓｓｉｎｇ  Ｕｎｉｔ）８１１と、ＲＡＭ８１２とを備える。
【００７４】
装置２ａはさらに、チューナ８０１と、ＡＤコンバータ８０２と、ＭＰＥＧ−２（Ｍｏｖｉｎｇ  Ｐｉｃｔｕｒｅ  Ｅｘｐｅｒｔｓ  Ｇｒｏｕｐ−２）エンコーダ８０３と、ＰＳ（Ｐｏｓｔｓｃｒｉｐｔ）処理部８０４と、ＭＰＥＧ−２デコーダ８０６と、表示管８１４と、モデム８１５とを備える。装置２ａの構成要素間のデータの送受信はバス８１３を介して行われる。
【００７５】
放送波に含まれる画像および音声情報等は、チューナ８０１およびＡＤコンバータ８０２を介してデジタル信号に変換され、ＭＰＥＧ−２エンコーダ８０３はそのデジタル信号を符号化する。ＰＳ処理部８０４は、符号化された画像および音声情報等をハードディスクドライブ８０５ｂまたはＤＶＤ８０５ａに記録する。また、ＰＳ処理部８０４は、ハードディスクドライブ８０５ｂまたはＤＶＤ８０５ａから符号化情報を読み出してＭＰＥＧ−２デコーダ８０６へ出力する。ＭＰＥＧ−２デコーダ８０６は符号化情報を復号化してグラフィック制御部８０７へ出力する。表示管８１４は、装置２ａの動作状態や時刻等を表示する。モデム８１５は、ＨＥＬＰアイコン３１１（図３（ａ））がユーザとサポートセンターとを接続するためのインターフェースであり且つＨＥＬＰアイコン３１１が選択された場合に、ユーザとサポートセンターとの電話通信を実行する。
【００７６】
不揮発性メモリであるＥＥＰＲＯＭ８１０は、ＣＰＵ８１１およびグラフィック制御部２０７を動作させるための制御プログラム、リモコンコードテーブル、画面表示プログラム等を記憶している。装置２ａが起動されると、ＣＰＵ８１１およびグラフィック制御部８０７はＥＥＰＲＯＭ８１０より制御プログラムを読み出して実行する。ＣＰＵ８１１はさらに、ＥＥＰＲＯＭ８１０よりリモコンコードテーブルを読み出す。また、グラフィック制御部８０７は、画面表示プログラムをさらに読み出す。ＣＰＵ８１１は装置２ａの動作全体を制御するとともに、リモコンコード解析部２０２（図１）と実質的に同じ動作を実行する。グラフィック制御部８０７およびメモリ８０８は、表示切替部２０３および動作状態保持メモリ２０４と実質的に同じ動作を実行する。また、ＤＡコンバータ８０９は、表示生成部２０５と実質的に同じ動作を実行する。
【００７７】
受信部２０１は、リモコン１１〜１３より出力された制御信号を受信し、リモコンコードに変換し、リモコンコードをＣＰＵ８１１に出力する。ＣＰＵ８１１は、リモコンコードテーブルを参照して、受け取ったリモコンコードを画面表示モード指定データおよび操作指示データに変換し、ＲＡＭ８１２に保存する。さらに、ＣＰＵ８１１は、操作指示データの内容に応じて装置２ａの動作状態を遷移させる（例えば、停止状態から録画状態に遷移させる）。
【００７８】
グラフィック制御部８０７は、ＲＡＭ８１２から画面表示モード指定データおよび操作指示データより読み出す。グラフィック制御部８０７は、画面表示プログラムを用いて、操作指示データと画面表示モード指定データに応じた画像データを生成する。画面表示プログラムを切り替えた場合は、新たに実行した画面表示プログラムに応じて、表示部３に表示する画像の状態（文字や記号および絵のサイズ、アイコンの数等）が切り替わる。ＤＡコンバータ８０９は、画像データを表示部３に適したアナログ画像信号に変換して表示部３へ出力することにより、表示部３に画像が表示される。
【００７９】
以上説明したように、装置２ａはプログラムを用いて、装置２と実質的に同じ動作を行うため、実施形態１および２で説明した本発明の効果と同様の効果を得ることができる。
【産業上の利用可能性】
【００８０】
本発明は、リモコン等の制御機器を用いるＡＶ機器の分野において特に有効である。
【図面の簡単な説明】
【００８１】
【図１】本発明の実施形態１によるリモートコントロールシステムを示す図である。
【図２】本発明の実施形態１によるリモコンを示す図である。
【図３】本発明の実施形態１によるインターフェースを示す図である。
【図４】本発明の実施形態１によるリモコンコードテーブルを示す図である。
【図５】本発明の実施形態１によるリモートコントロールシステムの動作を示すフローチャートである。
【図６】本発明の実施形態２によるリモコンを示す図である。
【図７】本発明の実施形態２によるリモコンコードテーブルを示す図である。
【図８】本発明の実施形態３による装置を示す図である。
【符号の説明】
【００８２】
２  装置
３  表示部
１１、１２、１３  リモコン
３１、３２  インターフェース
１００  リモートコントロールシステム
２０１  受信部
２０２  リモコンコード解析部
２０３  表示切替部
２０４  動作状態保持メモリ
２０５  表示生成部
２０６、２０７  リモコンコードテーブル
２１０、２１０ａ  画像制御部
８０７  グラフィック制御部
８０８  メモリ
８０９  ＤＡコンバータ
８１０  ＥＥＰＲＯＭ
８１１  ＣＰＵ
８１２  ＲＡＭ
【図１】
2006157885.tif 000003
【図２】
2006157885.tif 000004
【図３】
2006157885.tif 000005
【図４】
2006157885.tif 000006
【図５】
2006157885.tif 000007
【図６】
2006157885.tif 000008
【図７】
2006157885.tif 000009
【図８】
2006157885.tif 000010